(57)【要約】【課題】取り外しが可能で、且つ洗面器の排水管がエプロンに接続される部分からの漏水を防止した洗面排水装置を備えた浴室ユニットを提供する。【解決手段】エプロンと、洗面器と、洗面器側排水管と、浴槽側排水管とを備え、上記エプロンには、上記洗面器側排水管及び浴槽側排水管のいずれかが貫通する貫通孔が形成され、両者は該貫通孔近傍において連接される浴室ユニットであって、上記貫通孔周りの上記エプロンを表裏から挟持して水密に取着される取付部を有するシール部材と、上記洗面器側排水管及び浴槽側排水管のいずれか外嵌される側の先端に螺刻された雄ねじ部と、該雄ねじ部と螺合し、上記貫通孔周りの上記エプロンと協働して、上記シール部材の取付部を挟扼するフランジ部材とを備え、上記取付部の上記フランジ部材と当接する面と上記雄ねじ部先端とが面一になる位置に配置される。【選択図】  図２
2008297796.tif 000002
【特許請求の範囲】
【請求項１】
浴槽側面を洗い場床側から掩蔽するエプロンと、
上記洗い場床側の壁面に固定された洗面器と、
一端が該洗面器の排水口に取設され、洗面器内の湯水を排水する洗面器側排水管と、
該洗面器側排水管の他端に一端が接続された浴槽側排水管と、
を備え、上記エプロンには、上記洗面器側排水管及び浴槽側排水管のいずれかが貫通する貫通孔が形成され、上記洗面器側排水管と上記浴槽側排水管とは、該貫通孔近傍において連接される浴室ユニットであって、
上記貫通孔周りの上記エプロンを表裏から挟持して水密に取着される取付部を有するシール部材と、
上記洗面器側排水管及び浴槽側排水管のいずれか外嵌される側の先端に螺刻された雄ねじ部と、
該雄ねじ部と螺合し、上記貫通孔周りの上記エプロンと協働して、上記シール部材の取付部を挟扼するフランジ部材と、
を備え、
上記取付部の上記フランジ部材と当接する面と上記雄ねじ部先端とが面一になる位置に配置されることを特徴とする浴室ユニット。
【請求項２】
前記シール部材は、前記取付部及び該取付部から上記貫通孔の径方向内方側に向けて全周に亘って突出する弾性変形可能な弾性部を有する貫通パッキンと、該貫通パッキンの取付け部側面に貼着され前記フランジ部材の押圧により圧縮する軟質部材と、該軟質部材の表面に貼着され上記フランジ部材の螺進時の摩擦抵抗を低減させる滑り部材との３層を備えることを特徴とする請求項１記載の浴室ユニット。
【請求項３】
前記フランジ部材は、雌ねじが螺刻された雌ねじ部と、該雌ねじ部の一端から外方へ延出するフランジ部と、該フランジ部表面に凸設された凸部とを備えることを特徴とする請求項１または２記載の浴室ユニット。
【請求項４】
浴槽側面を洗い場床側から掩蔽するエプロンと、
上記洗い場床側の壁面に固定された洗面器と、
一端が該洗面器の排水口に取設され、洗面器内の湯水を排水する洗面器側排水管と、
該洗面器側排水管の他端に一端が接続された浴槽側排水管と、
を備え、上記エプロンには、上記洗面器側排水管及び浴槽側排水管のいずれかが貫通する貫通孔が形成され、上記洗面器側排水管と上記浴槽側排水管とは、該貫通孔近傍において連接される浴室の洗面器排水装置取付方法であって、
上記浴槽側排水管を所定の位置に固定し、
上記貫通孔周りの上記エプロンを表裏から挟持して水密に取着される取付部と、該取付部から上記貫通孔の径方向内方側に向けて全周に亘って突出する弾性変形可能な弾性部とを有するシール部材が取着された上記エプロンを立設し、
上記洗面器側排水管及び浴槽側排水管のいずれか外嵌される側の先端に螺刻された雄ねじ部に、上記貫通孔周りの上記エプロンと協働して、上記シール部材の取付部を挟扼するフランジ部材の螺合を開始すると同時に、上記取付部の押圧が開始されることを特徴とする洗面器排水装置取付方法。
【請求項５】
前記洗面器排水装置取付方法は、さらに、前記フランジ部材の終端が前記雄ねじ部先端と面一になる位置まで螺進した位置で締め付けを完了することを特徴とする請求項５記載の洗面器排水装置取付方法。
【発明の詳細な説明】
【技術分野】
【０００１】
本発明は、浴室内に洗面器を設置した浴室ユニットに係り、特に洗面器から排水するための洗面器排水装置に関する。また、本発明は、斯かる浴室用の洗面器排水装置の取付方法に関する。
【背景技術】
【０００２】
比較的狭い集合住宅やホテル客室等の浴室ユニットとして、浴室内に水栓を伴った洗面器を備えるタイプが採用されることが多い。
【０００３】
この洗面器で使用された水を排水する方法として、浴室内に設置された浴槽とこの浴槽に設けられたエプロンとの間に上端の連結管部をエプロンに固着してエプロン表面に開口させた排水管を配置し、浴槽に隣接して設置された洗面器に接続した洗面排水管を上記連結管部に接続して成る浴室用洗面排水装置を設けるものがある（例えば、特許文献１参照。）。
【０００４】
この浴室用洗面排水装置を、洗い場の床と浴槽とをエプロンを介して一体に形成するハーフ構造に適用した例を、図１０に示す。排水トラップに連接される連結管部の上端（エルボ１０１）は、接着剤を用いてエプロン１０２裏面に、工場において先行接続される。また、洗面排水管１０３も、接着剤を用いてエルボ１０１に、工場において先行接続される。したがって、この接続部分からの漏水は殆ど考えられない。ハーフ構造では、エプロンを取り外すことができないので、エルボ１０１から洗面排水管１０３を取り外すこともないことから可能となる接続方法である。
【０００５】
他方、床全面に敷設された防水パン上に浴槽を載置するフルパン構造の浴室用洗面排水装置としては、排水口に下端を挿入する第１排水管をエプロン面裏面に設け、該エプロン面に開孔した連結孔に上記第１排水管の上端を臨ませ、その第１排水管内面にシール材を介して、一端を洗面器の排水金具に接続する第２排水管の他端を嵌合してなるものがある（例えば、特許文献２参照。）。
【０００６】
この浴室用洗面排水装置では、浴槽周り点検等のためにエプロンを取り外す必要があるので、第２排水管（洗面排水管）はゴムパッキン等のシール材を介して第１排水管内に挿入されるだけで、接着固定はされない。よって、何度でも取り外し可能であるが、再度取り付ける際、場合によっては、ゴムパッキンと第２排水管との接触がうまくいかず、そこから漏水する虞がある。尤も、フルパン構造では浴槽下にも防水パンが敷設されているので、室外へ漏水することはない。
【０００７】
ところで、ハーフ構造には、ハーフ分割構造と呼ばれるバリエーションがある。これは、浴槽を、防水パンを介することなく建築床の上に載置する点で、本来のハーフ構造と共通するものの、浴槽と洗い場床とは別体で成形され、据付現場において連結される点で相違する。このハーフ分割構造では、浴槽の洗い場に面する側面は、洗い場床及び浴槽が所定の位置に設置された後、別体のエプロンによって掩蔽される。
【０００８】
ある程度以上の大きさのユニットバスでは、洗い場床と浴槽とを一体で形成することが難しいのみならず、現場への搬入や据付時の取り回しが困難になる。ハーフ分割構造は、この問題を解決すべく、洗い場床と浴槽とを別体で成形することにしたものである。
【０００９】
ところが、ハーフ分割構造では、追焚工事や点検等のためにエプロンを取り外す必要があるため、洗面排水管を、エプロンに固着されたエルボに接着剤を用いて接続することはできない。そこで、フルパン構造のように、洗面排水管を、ゴムパッキン等のシール材を介して第１排水管内に挿入する浴室用洗面排水装置を採用すると、洗面排水管を何度も取り外すうちに、ゴムパッキンと洗面排水管との接触がうまくいかず、そこから漏水する可能性がある。その場合、ハーフ分割構造では浴槽下に防水パンが敷設されていないので、室外へ漏水する虞が生じる。
【００１０】
このように、洗面器の排水構造について止水性に不安があるので、ハーフ分割構造では、洗面器付きのものは今まで採用されていない。
【００１１】
【特許文献１】実公昭５９−５１８７０号公報
【特許文献２】実公昭６２−１０３８７２号公報
【発明の開示】
【発明が解決しようとする課題】
【００１２】
ところで、浴室をリフォームするに際しては、周囲に既存の壁等の障害物が存在することが多い。特にマンション等の集合住宅においては、たとえ小型の浴室であっても（新設時にはハーフ構造の浴室であっても）、現場への搬入や据付時の取り回しを考慮すると、洗い場床と浴槽とを分割したハーフ分割構造を採用した方が、既存の間仕切壁等を壊さなくても設置ができるので、都合がよいという現状がある。
【００１３】
そして、リフォーム前の浴室が洗面器付きのものであったならば、当然リフォーム後も洗面器付きである必要があり、そうでなくても、新たに洗面器を取り付けたいという需要がある。
【００１４】
本発明は、上述した事情を考慮してなされたもので、ハーフ分割構造であっても、取り外しが可能で、且つ洗面器の排水管がエプロンに接続される部分からの漏水を防止する洗面排水装置を備えた浴室ユニットを提供することを目的とするものである。
【課題を解決するための手段】
【００１５】
本発明に係る浴室ユニットは、上述した課題を解決するために、請求項１に記載したように、浴槽側面を洗い場床側から掩蔽するエプロンと、上記洗い場床側の壁面に固定された洗面器と、一端が該洗面器の排水口に取設され、洗面器内の湯水を排水する洗面器側排水管と、該洗面器側排水管の他端に一端が接続された浴槽側排水管とを備え、上記エプロンには、上記洗面器側排水管及び浴槽側排水管のいずれかが貫通する貫通孔が形成され、上記洗面器側排水管と上記浴槽側排水管とは、該貫通孔近傍において連接される浴室ユニットであって、上記貫通孔周りの上記エプロンを表裏から挟持して水密に取着される取付部を有するシール部材と、上記洗面器側排水管及び浴槽側排水管のいずれか外嵌される側の先端に螺刻された雄ねじ部と、該雄ねじ部と螺合し、上記貫通孔周りの上記エプロンと協働して、上記シール部材の取付部を挟扼するフランジ部材とを備え、上記取付部の上記フランジ部材と当接する面と上記雄ねじ部先端とが面一になる位置に配置されるものである。
【００１６】
ここで、前記シール部材は、好適には、請求項２に記載したように、前記取付部及び該取付部から上記貫通孔の径方向内方側に向けて全周に亘って突出する弾性変形可能な弾性部を有する貫通パッキンと、該貫通パッキンの取付部側面に貼着され前記フランジ部材の押圧により圧縮する軟質部材と、該軟質部材の表面に貼着され上記フランジ部材の螺進時の摩擦抵抗を低減させる滑り部材との３層を備えることが望ましい。
【００１７】
また、前記フランジ部材は、好適には、請求項３に記載したように、雌ねじが螺刻された雌ねじ部と、該雌ねじ部の一端から外方へ延出するフランジ部と、該フランジ部表面に凸設された凸部とを備えるものとしてもよい。
【００１８】
他方、上述した課題を解決するために、請求項４に係る洗面排水装置取付方法は、浴槽側面を洗い場床側から掩蔽するエプロンと、上記洗い場床側の壁面に固定された洗面器と、一端が該洗面器の排水口に取設され、洗面器内の湯水を排水する洗面器側排水管と、該洗面器側排水管の他端に一端が接続された浴槽側排水管とを備え、上記エプロンには、上記洗面器側排水管及び浴槽側排水管のいずれかが貫通する貫通孔が形成され、上記洗面器側排水管と上記浴槽側排水管とは、該貫通孔近傍において連接される浴室の洗面排水装置取付方法であって、上記浴槽側排水管を所定の位置に固定し、上記貫通孔周りの上記エプロンを表裏から挟持して水密に取着される取付部と、該取付部から上記貫通孔の径方向内方側に向けて全周に亘って突出する弾性変形可能な弾性部とを有するシール部材が取着された上記エプロンを立設し、上記洗面器側排水管及び浴槽側排水管のいずれか外嵌される側の先端に螺刻された雄ねじ部に、上記貫通孔周りの上記エプロンと協働して、上記シール部材の取付部を挟扼するフランジ部材の螺合を開始すると同時に、上記取付部の押圧が開始されるものである。
【００１９】
前記洗面器排水装置取付方法は、好適には、請求項５に記載したように、さらに、前記フランジ部材の終端が前記雄ねじ部先端と面一になる位置まで螺進した位置で締め付けを完了するものとすることができる。
【発明の効果】
【００２０】
本発明に係る浴室ユニットによれば、ハーフ分割構造であっても、取り外しが可能で、且つ洗面器の排水管がエプロンに接続される部分からの漏水を防止する洗面排水装置を備えることができる。
【発明を実施するための最良の形態】
【００２１】
本発明に係る浴室ユニットの洗面排水装置の実施の形態について、添付図面を参照して説明する。図１は、本実施形体に係る洗面排水装置１１を備える浴室ユニット１の全体的な概要を示す立面図である。
【００２２】
浴室ユニット１は、ＦＲＰ等で成形された洗い場床２と、この洗い場床２とは別体に成形された浴槽３とを備え、これらは、それぞれ独立して建築床Ｆ上に支持脚２ａ，３ａを介して設置された後、図示しない分割床連結材によって連結され、相互の位置関係が固定される。そして、浴槽３の洗い場床２に面する側面は、別体に形成されたエプロン４によって掩蔽される。
【００２３】
洗い場床２の水下には、下面に排水トラップ５が取設され、洗い場床２からの排水が集水されるとともに、浴槽３からの排水も排水エルボ６を介して集水され、これらの排水は、浴室ユニット１外部へと排出される。
【００２４】
浴室ユニットの壁面を構成する壁パネル７は、洗い場床２周りではその外縁上に立設され、浴槽３周りでは浴槽３のリム３ｂ上に立設される。
【００２５】
洗い場床２上の浴槽３近傍の壁パネル７には、洗面器８が、その斜め上方には水栓９が取り付けられる。水栓９は、混合栓タイプであり、カランを回動させることにより、浴槽３及び洗面器８に給水・給湯可能であり、また、吐水先を切り替えることによりシャワー１０にも給水・給湯することができる。
【００２６】
洗面器７下部には、洗面器側排水管１２が接続され、洗面器側排水管１２の他端は、エプロン４近傍において、浴槽側排水管２０に連接される。洗面器側排水管１２と浴槽側排水管２０との連接部分は、ワン座によって掩蔽される。浴槽側排水管２０は、エプロン４裏面を下降して、他端は排水エルボ６と合流し、最終的には排水トラップ５に接続される。
【００２７】
これにより、洗面器８で使用された水は、洗面器側排水管１２、浴槽側排水管２０及び排水トラップ５を経由して外部に排水される。
【００２８】
図１に示したＡ周りの詳細を図２に示す。浴槽側排水管２０は  浴槽側排水管２０の本管２１の先端近傍に取設されたエルボ２２によって折曲され、その先端にソケット２３が連接される。
【００２９】
ソケット２３は、図示しない分割床連結材に取設された洗面器排水支持材４２に取着される。これにより、浴槽側排水管２０の上端位置が固定される。
【００３０】
ソケット２３は、円筒状の筒状部２３ａと、この筒状部２３ａ中央付近から外方へ延出する鍔部２３ｂとを有する。また、筒状部２３ａ先端には雄ねじ部２３ｃが螺刻される。
【００３１】
エプロン４は、その上端が浴槽３のリム３ｂ裏面と補強用リブ３ｃとの間にパッキン４３，４４を介して挟装され、図示しない下端は、洗い場床２の浴槽３側縁部に立ち上げられた土手部に載置されることによって、浴槽３と洗い場床２との間に架設される。
【００３２】
エプロン４には、貫通孔ＴＨが設けられ、エプロン４が所定の位置に立設されると、この貫通孔ＴＨに、浴槽側排水管２０先端のソケット２３が挿通されるようになっている。
【００３３】
この貫通孔ＴＨには、開口全周に亘ってシール部材３０が取着される。シール部材３０は、貫通パッキン３１と、軟質部材３２と、滑り部材３３との３層より構成される。
【００３４】
貫通パッキン３１は、洗い場の水が開口周りからエプロン４裏面に廻ることを防止するものであり、ゴム等により形成され、取付部３１ａ及び弾性部３１ｂから成る。
【００３５】
取付部３１ａは、貫通孔ＴＨ周りのエプロン４を表裏から挟持して、シール部材３０を貫通孔ＴＨ周りに水密に取着する。弾性部３１ｂは、この取付部３１ａから貫通孔ＴＨの径方向内方側に向けて全周に亘って突出する弾性変形可能な部材である。
【００３６】
弾性部３１ｂは、貫通孔ＴＨにソケット２３が挿通する以前は、中央が円形に開口した平円盤で、その厚さは、折曲し易いように、１〜４ｍｍ程度の薄肉である。この開口ＯＰの半径は、ソケット２３の筒状部２３ａの外径より小さいので、貫通孔ＴＨにソケット２３が挿通されると、ソケット２３の先端に押されて開口ＯＰが拡開するとともに、図２に示すように、弾性部３１ｂの先端部分が折曲変形して、弾性部３１ｂの側面がソケット２３の筒状部２３ａに水密に当接する。これにより、洗い場側の水が、ソケット２３外周とエプロン４の貫通孔ＴＨとの間からエプロン４裏面側へ漏出することが防止される。
【００３７】
軟質部材３２は、外径及び内径が貫通パッキン３１の取付部３１ａのそれと略同一の短い円筒状であり、取付部３１ａの表面側（洗い場側）に貼着される。軟質部材３２は、柔軟な合成樹脂等により形成されているので、側方からの押圧により容易に圧縮変形する。
【００３８】
滑り部材３３は、軟質部材３２の、貫通パッキン３１の取付部３１ａとは反対側の側面に貼着された、外径及び内径が軟質部材３２のそれと略同一の薄い円盤状の部材であり、例えば合成樹脂より成る。
【００３９】
後述する締付フランジ２４は、ソケット２３の雄ねじ部２３ｃと螺合して、シール部材３０を押圧する。ここで、シール部材３０表面の摩擦抵抗が、軟質部材３２のそれのように大きいと  回転する締付フランジ２４に引っ張られて、表面がねじ切れる虞がある。そこで、摩擦抵抗の小さい滑り部材３３を軟質部材３２表面に貼着することにより、締付フランジ２４が回転しても、それに引っ張られないようにしたものである。
【００４０】
締付フランジ２４は、ソケット２３の雄ねじ部２３ｃと螺合する雌ねじ部２４ａと、この雌ねじ部２４ａの一端から径方向外方へ延出するフランジ部２４ｂとを有する。また、フランジ部２４ｂ背面からは、図３に示すように、放射状に複数の凸条２４ｃが設けられている。
【００４１】
締付フランジ２４の雌ねじ部２４ａ先端と、ソケット２３の雄ねじ部２３ｃ先端とを位置合わせした後、凸条２４ｃを手で持って捩れば、締付フランジ２４を容易にソケット２３方向へ螺進させることができる。
【００４２】
締付フランジ２４の雌ねじ部２４ａ終端がソケット２３の雄ねじ部２３ｃ先端まで至ると、両者の螺合が完了する。この状態で、シール部材３０のエプロン４裏面側の取付部３１ａは、ソケット２３の鍔部２３ｂと水密に当接し、シール部材３０の滑り部材３３は締付フランジ２４のフランジ部２４ｂ表面と水密に当接する。これにより、洗い場側の水が、ソケット２３外周とエプロン４の貫通孔ＴＨとの間からエプロン４裏面側へ漏出することが、より確実に防止される。
【００４３】
ゴムブッシュ１３は、ソケット２３先端に挿入され、ソケット２３内周と洗面器側排水管１２外周との間隙を水密に閉塞する。ゴムブッシュ１３は、円筒状の筒状部１３ａと、その一端から径方向外方へ拡開する外鍔部１３ｂと、筒状部１３ａの他端から径方向内方へ狭窄する内鍔部１３ｃとを有する。外鍔部１３ｂは、ゴムブッシュ１３自身がソケット２３内に没入することを防止するものであり、内鍔部１３ｃが、洗面器側排水管１２が必要以上にソケット２３内に進入することを防止するものである。
【００４４】
このゴムブッシュ１３に洗面器側排水管１２が挿入されると、ワン座１４が被せられ、浴槽側排水管２０と洗面器側排水管１２との接続部は、掩蔽される。ワン座１４は、内部に、先端に係合爪１４ｂを有する支軸１４ａが複数設けられ、この係合爪１４ｂを締付フランジ２４のフランジ部２４ｂに設けられた係止部２４ｄに係合させて取設される。
【００４５】
本実施の形態に係る洗面排水装置は上記のように構成されており、以下その取付手順について、図４に示すフローチャートを参照して説明する。  浴室ユニット１は、据付現場に搬入されると、洗い場床２に排水トラップ５を取り付け、この排水トラップ５に浴槽側排水管２０のトラップ側の部分を取り付ける。そして、洗い場床２設置後、浴槽３や壁パネル７等を取り付け、洗い場床２と浴槽３との間に図示しない分割床連結材を取り付けて、両者を固定する。
【００４６】
以上の各作業終了後、洗面排水装置１１の取り付けが開始される。それにはまず、図５に示すように、洗面器排水支持材４２を分割床連結材４１へねじで取り付け、浴槽側排水管２０の残余のエプロン４側部分をトラップ側部分に差し込み、洗面器排水支持材４２に合わせて取り付けねじにて固定する（ステップＳ１）。これにより、浴槽側排水管２０の上下が固定され、したがって、浴槽側排水管２０が所定の位置に固定されたことになる。
【００４７】
次に、シール部材３０が取り付けられたエプロン４を浴槽３の洗い場床２側の側面に取り付ける（ステップＳ２）。ここで、図６に示すように、シール部材３０の弾性部３１ｂにより開口される径ｄよりも、ソケット２３の外径Ｄの方が大きいので、エプロン４の取付高さと、洗面器排水支持材４２の取付高さとに多少の誤差があっても、図７に示すように、弾性部３１ｂとソケット２３との間に間隙を生じることなく、弾性部３１ｂをソケット２３に水密に外嵌することができる。ここで、ソケット２３の外径Ｄが、例えば３６ｍｍの場合、弾性部３１ｂにより開口される径ｄは大凡３０ｍｍに設定される。
【００４８】
エプロン４が所定の位置に取り付けられると、続いて、締付フランジ２４の雌ねじ部２４ａをソケット２３先端の雄ねじ部２３ｃに螺合させる。
【００４９】
ここで、ソケット２３の雄ねじ部２３ｃ先端とシール部材３０の滑り部材３３とは同じ高さ、すなわち、面一になっているので、締付フランジ２４の雌ねじ部２４ａ先端をソケット２３の雄ねじ部２３ｃ先端に当接させると、図７に示すように、締付フランジ２４のフランジ部２４ｂ前面がシール部材３０の滑り部材３３と衝合し、シール部材３０の押圧が開始される（ステップＳ３）。したがって、この状態から締付フランジ２４を螺進させると、シール部材３０は必ず押圧されて、必ず軟質部材３２は圧縮変形し、締付フランジ２４のフランジ部２４ｂ前面とシール部材３０の滑り部材３３との間の水密性が高められる。
【００５０】
この際、締付フランジ２４のフランジ部２４ｂ背面には、放射状に複数の凸条２４ｃが設けられているので、作業者は凸条２４ｃを手に持って締付フランジ２４を回動させることができるので、道具を使用することなく、容易に作業を行うことができる。
【００５１】
こうして締付フランジ２４を螺進させていき、締付フランジ２４の雌ねじ部２４ａ終端がソケット２３の雄ねじ部２３ｃ先端に到達すると、言い換えれば、締付フランジ２４の雌ねじ部２４ａ終端とソケット２３の雄ねじ部２３ｃ先端とが面一になると、シール部材３０の押圧は終了する（ステップＳ４）。このようにシール部材３０押圧の終了位置が設定されているので、締付フランジ２４のフランジ部２４ｂ前面とシール部材３０の滑り部材３３との間の水密性、及びソケット２３の鍔部２３ｂと貫通パッキン３１の取付部３１ａとの間の水密性が確実に保たれ、締付不足による漏水が防止される。
【００５２】
また、締付フランジの螺進が終了した段階で、ソケット２３の雄ねじ部２３ｃのねじ山は、折曲変形した貫通パッキン３１の弾性部３１ｂの先端から一定の距離をおいた位置で終焉する。これにより、弾性部３１ｂがねじ山と干渉することが回避され、洗い場側の水がねじ山の谷部を経由してエプロン４裏面側へ回り込むことが防止される。
【００５３】
以上で浴槽側排水管２０側の取付が終了し、続いて洗面器側排水管１２側の取付を行う。まず、ゴムブッシュ１３がソケット２３先端に挿入され（ステップＳ５）、このゴムブッシュ１３に洗面器側排水管１２が挿入される（ステップＳ６）。このゴムブッシュ１３及び洗面器側排水管１２は、点検等の際に取り外せるように、挿入されるだけで接着剤等で固着されない。そのため、何度も抜き差しする間に、ソケット２３内面とゴムブッシュ１３の筒状部１３ａとの間、或いはゴムブッシュ１３の筒状部１３ａと洗面器側排水管１２との間から漏水する可能性がある。しかしながら、これらの間から漏水があっても、洗い場床２側へ漏れるだけで、防水パンのないエプロン４裏面側へは漏れない。したがって、浴室ユニット１外へ漏水することは防止される。
【００５４】
そして、最後にワン座１４が、係合爪１４ｂを締付フランジ２４のフランジ部２４ｂに設けられた係止部２４ｄに係合させることにより、洗面器側排水管１２と浴槽側排水管２０との接続部に被せられて（ステップＳ７）、洗面排水装置１１の取付が完了する。
【００５５】
次に、本実施形体に係るシール部材３０の変形例について、図９を参照して説明する。本実施形体に係るシール部材３０の弾性部３１ｂは、中央が円形に開口した平円盤であるのに対し、この変形例に係るシール部材３０Ａは、同図に示すように、その弾性部３１ｂは閉じた平円盤に形成され、中央に複数のスリット３１ｃが設けられる点で、実施形態におけるものと基本的に相違し、他の構成は実施形態のものと実質的に同じである。
【００５６】
このスリッ３１ｃトの長さは、実施形体における開口の径ｄと同程度に形成され、ソケット２３の外形Ｄよりも小さい。したがって、エプロン４の取付高さと、洗面器排水支持材４２の取付高さとに多少の誤差があっても、弾性部３１ｂとソケット２３との間に間隙を生じることなく、弾性部３１ｂをソケット２３に水密に外嵌することができる。
【００５７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００５８】
【図１】本発明に係る浴室用排水装置を備える浴室ユニットの実施形態の概要を示す立面図。
【図２】本実施形体に係る浴室用排水装置の断面図。
【図３】フランジ部材の外観を示す斜視図。
【図４】本実施形体に係る浴室用排水装置の組立手順を示すフロー図。
【図５】本実施形体に係る浴室用排水装置の浴槽側排水管が固定された状態を示す図。
【図６】エプロンが立設される直前の状態を示す図。
【図７】エプロンが所定の位置に立設され、フランジ部材の螺合を開始する直前の状態を示す図。
【図８】フランジ部材の螺合が完了した状態を示す図。
【図９】貫通パッキンの変形例を示す正面図。
【図１０】ハーフ構造の浴室ユニットに採用された従来の浴室用排水装置の一例を示す断面図。
【符号の説明】
【００５９】
１  浴室ユニット
２  洗い場床，２ａ  支持脚
３  浴槽，３ａ  支持脚，３ｂ  リム，３ｃ  補強用リブ
４  エプロン
５  排水トラップ
６  排水エルボ
７  壁パネル
８  洗面器
９  水栓
１０  シャワー
１１  洗面排水装置
１２  洗面器側排水管
１３  ゴムブッシュ，１３ａ  筒状部，１３ｂ  外鍔部，１３ｃ  内鍔部
１４  ワン座，１４ａ  支軸，１４ｂ  係合爪
２０  浴槽側排水管
２１  本管
２２  エルボ
２３  ソケット，２３ａ  筒状部，２３ｂ  鍔部，２３ｃ  雄ねじ部
２４  締付フランジ，２４ａ  雌ねじ部，２４ｂ  フランジ部，２４ｃ  凸条，２４ｄ  係止部
３０，３０Ａ  シール部材  
３１  貫通パッキン，３１ａ  取付部，３１ｂ，弾性部
３２  軟質部材
３３  すべり部材
４１  分割床連結材
４２  洗面器排水支持材
４３，４４  パッキン
Ｆ  建築床
ＯＰ  開口
ＴＨ  貫通孔
【図１】
2008297796.tif 000003
【図２】
2008297796.tif 000004
【図３】
2008297796.tif 000005
【図４】
2008297796.tif 000006
【図５】
2008297796.tif 000007
【図６】
2008297796.tif 000008
【図７】
2008297796.tif 000009
【図８】
2008297796.tif 000010
【図９】
2008297796.tif 000011
【図１０】
2008297796.tif 000012